(57)【要約】      （修正有）【課題】鍋等から掬って入れたお玉杓子内の汁を御椀等に注ぎ入れる際に、汁滴がお玉杓子の球状底部を伝わって、球状底部の中央部から落下して、御椀等の外側に零れることを防止したお玉杓子を提供する。【解決手段】球状碗部Ｓと、柄部Ｈと、球状碗部と柄部を一体的に取り付ける首部Ｎとから構成される。球状碗部の片側の縁部外側面に汁切り部Ｆを設け、汁切り部の面Ｆａが球状碗部の底面Ｓ２となす角度（θａ）が２０°以上１６０°以下である。【選択図】図２
0003169170.tif 000002
【実用新案登録請求の範囲】
【請求項１】
球状碗部と柄部と、球状碗部と柄部を一体的に取り付ける首部とから構成されるお玉杓子において、球状碗部の片側の縁部外側面に汁切り部を設け、汁切部のＡ面が、数式（１）の条件を具備することを特徴とするお玉杓子。
２０°≦θａ≦１６０°……（１）
ここに、θａ：汁切り部のＡ面が球状碗部の外側面となす角度（°）
【請求項２】
球状碗部の片側の縁部外側面付近に汁切り部を設け、汁切部のＢ面が、数式（２）の条件を具備することを特徴とする請求項１に記載されたお玉杓子。
２０°≦θｂ≦１６０°……（２）
ここに、θｂ：汁切り部のＢ面が球状碗部の外側面となす角度（°）
【請求項３】
縁部外側面付近に汁切り部を設けた汁切部が、中空部を有することを特徴とする請求項１〜２の何れかに記載されたお玉杓子。
【考案の詳細な説明】
【技術分野】
【０００１】
本考案は、お玉杓子に関する。
【背景技術】
【０００２】
従来において、鍋等から掬って入れたお玉杓子内の汁を、御椀等に注ぎ入れる際に、汁滴がお玉杓子の球状底部を伝わって、球状底部の中央部から落下して、御椀等の外側に零れるという不都合がしばしば生じていた（図３（ａ）、図３（ｂ））。
しかし、汁滴がお玉杓子の球状底部を伝わって、球状底部の中央部から落下して、御椀等の外側に零れたしても、布巾等で拭き取れば何ら問題ないと認識するだけで、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供することによって、上記の不都合を解消しようとするアプローチが何らなされていなかった。
【０００３】
上記の不都合を解消しようとするアプローチがなされていなかったのであるから、当然のことながら、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子は存在しなかった。
以下、本考案との関係では直接は関係ないが関連する先行技術文献として、以下掲載しておく。
【先行技術文献】
【特許文献】
【０００４】
【特許文献１】特開２００８−３０２１８８号公報
【考案の概要】
【考案が解決しようとする課題】
【０００５】
○本考案が解決しようとする第１課題
本考案が解決しようとする第１課題は、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○お玉杓子（おたまじゃくし）とは、食物を掬（すく）うことのできる調理器具の一種をいう。「御多賀杓子（おたがじゃくし）」に基づく語ともいう。
本考案に係るお玉杓子は、従来のお玉杓子（球状碗部と柄部と、球状碗部と柄部を一体的に取り付ける首部とから構成されるお玉杓子）に、特徴的構成要件である「汁切り部」を付加したものである。
○球状碗部とは、お玉杓子の球面形状をした部分をいう。球状碗部のうち、汁を中に入れる側の面を、球状碗部の内側面（単に、内側面ともいう。）といい、球状碗部のうち、汁を中に入れる反対側（外側）の面を、球状碗部の底部面（単に、底部面ともいう。）という。
○球状碗部縁部とは、球状碗部の縁部をいう。
○球状碗部の片側の縁部とは、球状碗部の縁部のうち、汁を注ぐ側の縁部をいう。
○球状碗部の片側の縁部底部面とは、球状碗部の縁部のうち、汁を注ぐ側の縁部近傍の底部面をいう。
○汁切り部とは、鍋等から掬って入れたお玉杓子内の汁を、御椀等に注ぎ入れる際に、汁滴がお玉杓子の球状底部を伝わって、球状底部の中央部から落下して、御椀等の底部に零れることを防止する、本願考案の最も特徴的構成部分である。
汁切り部は、汁切り部のＡ面と汁切り部のＢ面から構成される。
○汁切り部のＡ面とは、汁切り部の二つの面のうち、球状碗部の縁部から近い側の面をいう。面は平面であっても曲面でもよい（図２、図５）。
○汁切り部のＢ面とは、汁切り部の二つの面のうち、球状碗部の縁部に遠い側の面をいう。面は平面であっても曲面でもよい。（図２、図５、曲面の場合は図示せず。）
○汁切り部のＡ面が球状碗部の底部面となす角度（°）とは、汁切り部のＡ面が球状碗部の底部面と交わる角度（°）ををいう。Ａ面が曲面の場合は、汁切り部の球状碗部の底部面の近傍のＡ面が球状碗部の底部面となす角度θａ（°）ををいう。
○汁切り部のＢ面が球状碗部の底部面となす角度θｂ（°）とは、汁切り部のＢ面が球状碗部の底部面と交わる角度（°）ををいう。Ｂ面が曲面の場合は、汁切り部の球状碗部の底部面の近傍のＢ面が球状碗部の底部面となす角度（°）ををいう。
○汁切り部のＡ面が汁切り部のＢ面となす角θａｂ（°）とは、汁切り部のＡ面が汁切り部のＢ面なす角度（°）ををいう。汁切り部のＡ面、汁切り部のＢ面、球状碗部の底部面とは、略三角形を形成するので（図２（ｃ）、図５（ｂ））、下式が成立する。
θａ＋θｂ＋θａｂ÷１８０°…（３）
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載された考案であり、その具体的な解決手段は、以下の通りである。
○第１の考案（請求項１に記載の考案）
●上記の課題を解決するための第１の考案（請求項１に記載の考案）は、
球状碗部と柄部と、球状碗部と柄部を一体的に取り付ける首部とから構成されるお玉杓子において、球状碗部の片側の縁部外側面に汁切り部を設け、汁切部のＡ面が、数式（１）の条件を具備することを特徴とするお玉杓子を特徴とするお玉杓子である。
２０°≦θａ≦１６０°……（１）
ここに、θａ：汁切り部のＡ面が球状碗部の外側面となす角度（°）
○第２の考案（請求項２に記載の考案）
●上記の課題を解決するための第２の考案（請求項２に記載の考案）は、
球状碗部の片側の縁部外側面付近に汁切り部を設け、汁切部のＢ面が、数式（２）の条件を具備することを特徴とする請求項１に記載されたお玉杓子を特徴とするお玉杓子である。
２０°≦θｂ≦１６０°……（２）
ここに、θｂ：汁切り部のＢ面が球状碗部の外側面となす角度（°）
○第３の考案（請求項３に記載の考案）
●上記の課題を解決するための第３の考案（請求項３に記載の考案）は、
球状碗部縁部に汁切り部を設けた汁切部が、中空部を有することを特徴とする請求項１〜２の何れかに記載されたお玉杓子である。
【考案の効果】
【０００７】
本考案に係る、お玉杓子は、上記のような特徴的構成要件から構成され、特徴的構成要件に応じた、以下のような本願考案特有の効果を奏する。
また、上記の各考案に応じた、上記のような特徴的構成要件から構成されたお玉杓子によれば、本願考案の課題を十分解消することができた。
○第１の考案の効果  
●第１の考案によれば、第１の考案の特徴的な構成要件により、本考案が解決しようとする第１課題（鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供すること）を達成することができ、当業者予測不可能な顕著な効果を奏することができた。
○第２の考案の効果
●第２の考案によれば、第２の考案の特徴的な構成要件により、本考案が解決しようとする第１課題を達成することができ、当業者予測不可能な顕著な効果を奏することができた。
○第３の考案の効果
●第３の考案によれば、第３の考案の特徴的な構成要件により、本考案が解決しようとする第１課題を達成することができ、当業者予測不可能な顕著な効果を奏することができた。
【考案を実施するための最良の形態】
【０００８】
以下、本考案に係る、お玉杓子に関する最良の実施形態について、図面を参照しながら説明する。
［図１］図１は、本考案に係るお玉杓子の斜視図である。
［図２］図２（ａ）は、本考案に係るお玉杓子の側面図である。図２（ｂ）は、本考案に係るお玉杓子のＡ−Ａ断面視図である。図２（ｃ）は、図２（ｂ）の本考案に係るお玉杓子の汁切り部の拡大図（Ａ−Ａ断面視図）である。
［図３］図３は、従来のお玉杓子を用いた場合の問題点を説明する図である。図３（ａ）は、従来のお玉杓子に汁を容れた状態を示す図である。図３（ｂ）は、従来のお玉杓子から御椀に注ぐ際に汁滴が御椀の外側に零れる状態を示す図である。
［図４］図４は、本考案に係るお玉杓子を用いた場合の考案の効果を説明する図である。図４（ａ）は、本考案に係るお玉杓子に汁を容れた状態を示す図である。図４（ｂ）は、本考案に係るお玉杓子から御椀に注ぐ際に汁滴が御椀の外側に零れない状態を示す図である。
［図５］図５は、汁切り部のＡ面が曲面である場合の本考案に係るお玉杓子の図である。図５（ａ）は、汁切り部のＡ面が曲面である場合の本考案に係るお玉杓子の側面図である。図５（ｂ）は、汁切り部のＡ面が曲面である場合の本考案に係るお玉杓子の一部拡大図である。
＊＊＊＊＊＊＊＊＊＊＊＊＊＊＊＊＊＊＊＊＊＊＊＊＊＊＊＊＊＊＊＊＊＊＊
以下、本考案に係るお玉杓子について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案を実施するための最良の形態
本考案に係るお玉杓子１００において、球状碗部Ｓと柄部Ｈと、球状碗部Ｓと柄部Ｈを一体的に取り付ける首部Ｎとから構成されるお玉杓子１００において、球状碗部Ｓの片側の縁部底面Ｓ２ｅに汁切り部Ｆを設け、汁切り部ＦのＡ面が、数式（１）の条件を具備することを特徴とするお玉杓子１００が開示されている(図１、図2、(図5)。
２０°≦θａ≦１６０°……（１）
ここに、θａ：汁切り部ＦのＡ面が球状碗部Ｓの底面Ｓ２となす角度（°）
本考案に係るお玉杓子１００は、球状碗部Ｓ、柄部Ｈ、首部Ｎ、汁切り部Ｆとから構成される。首部Ｎは、球状碗部Ｓと柄部Ｈを一体的に取り付ける構成となっている。汁切り部Ｆは、球状碗部Ｓの片側の縁部底面Ｓ２ｅに設置される。汁切り部ＦのＡ面が、数式（１）の条件を具備することを特徴としている。
汁切り部のＡ面の面は平面であっても曲面でもよい（図２、図５）。
○第１の考案の効果
●第１の考案によれば球状碗部Ｓと柄部Ｈと、球状碗部Ｓと柄部Ｈを一体的に取り付ける首部Ｎとから構成されるお玉杓子１００において、球状碗部Ｓの片側の縁部底面Ｓ２ｅに汁切り部Ｆを設け、汁切り部ＦのＡ面が、数式（１）の条件を具備すること
（２０°≦θａ≦１６０°……（１）
ここに、θａ：汁切り部ＦのＡ面が球状碗部Ｓの底面Ｓ２となす角度（°））
という特徴的な構成要件により、本考案が解決しようとする第１課題を達成することができ、当業者予測不可能な顕著な効果を奏することができた。
すなわち、本考案に係るお玉杓子１００から御椀等Ｂに注ぐ際に、球状碗部Ｓの底面Ｓ２が水平面との傾斜が緩やかになる一方、汁切り部ＦのA面は水平面に対して傾斜が急になる。
球状碗部Ｓに入れていた汁Ｗは、汁切り部ＦのA面を伝わって落下する。汁切り部ＦのA面は水平面に対して傾斜を有しているため、汁滴Ｗｄは、重力の作用により付着力に打ち勝って、下端(汁切り部のＡ面と汁切り部のＢ面との交線Lab)から容易に落下する。
さらに、汁滴Ｗｄは、汁切り部ＦのＢ面が昇り勾配となっていて重力が障害となって、球状碗部Ｓの底面Ｓ２を伝わって、底面Ｓ２の中央部Ｓ２ｃまで接近することができない。
汁滴Ｗｄは汁切り部のＡ面と汁切り部のＢ面との交線Labより上方に位置する底面Ｓ２の中央部Ｓ２ｃに近づくことができず、
鍋等から掬って入れたお玉杓子１００内の汁Ｗを、御椀等Ｂに注ぎ入れる際に、汁滴Ｗｄがお玉杓子１００の球状碗部Ｓの底面Ｓ２を伝わることはないので、球状碗部Ｓの底面Ｓ２の中央部Ｓ２ｃから落下して、御椀等Ｂの外側Ｏに零れることを防止することが可能となった(図４)。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第２の考案を実施するための最良の形態
上記のお玉杓子１００において、球状碗部Ｓの片側の縁部底面Ｓ２ｅに汁切り部Ｆを設け、汁切り部ＦのＢ面が、数式（２）の条件を具備することを特徴とする第１の考案に記載されたお玉杓子１００が開示されている(図１、図2、(図5)。
２０°≦θｂ≦１６０°……（２）
ここに、θｂ：汁切り部ＦのＢ面が球状碗部Ｓの底面Ｓ２となす角度（°）
本考案に係るお玉杓子１００は、球状碗部Ｓ、柄部Ｈ、首部Ｎ、汁切り部Ｆとから構成される。首部Ｎは、球状碗部Ｓと柄部Ｈを一体的に取り付ける構成となっている。汁切り部Ｆは、球状碗部Ｓの片側の縁部底面Ｓ２ｅに設置される。汁切り部ＦのＢ面が、数式（２）の条件を具備することを特徴としている。
汁切り部のＢ面の面は平面であっても曲面でもよい（図２、図５、曲面の場合は図示せず。）。
○第２の考案の効果
●第２の考案によれば、球状碗部Ｓの片側の縁部底面Ｓ２ｅに汁切り部Ｆを設け、汁切り部ＦのＢ面が、数式（２）の条件を具備すること
（２０°≦θａ≦１６０°……（２）
ここに、θｂ：汁切り部ＦのＢ面が球状碗部Ｓの底面Ｓ２となす角度（°））
という特徴的な構成要件により、本考案が解決しようとする第１課題を達成することができ、当業者予測不可能な顕著な効果を奏することができた。
すなわち、本考案に係るお玉杓子１００から御椀に注ぐ際に、球状碗部Ｓの底面Ｓ２が水平面との傾斜が緩やかになると供に、汁切り部ＦのＡ面は水平面に対して傾斜が急になる。この場合、球状碗部Ｓに入れていた汁Ｗは汁切り部ＦのA面を伝わって落下する。
そしてさらに、汁Ｗは汁切り部のＡ面と汁切り部のＢ面との交線Labに接触しながら落下することがあっても、汁切り部ＦのB面が平面に対して傾斜が昇り勾配になるため、底面の中央部Ｓ２ｃは汁切り部のＡ面と汁切り部のＢ面との交線Labに比較して上方に位置するため、汁滴Ｗｄは重力が作用するため、付着力が作用したとしても、汁切り部ＦのＡ面を伝わって底面の中央部Ｓ２ｃまで上昇することができない。
汁滴Ｗｄは汁切り部のＡ面と汁切り部のＢ面との交線Labより底面の中央部Ｓ２ｃに近づくことができず、
鍋等から掬って入れたお玉杓子１００内の汁Ｗを、御椀等Ｂに注ぎ入れる際に、汁滴Ｗｄがお玉杓子１００の球状碗部Ｓの底面Ｓ２を伝わることはないので、球状碗部Ｓの底面Ｓ２の中央部Ｓ２ｃから落下して、御椀等Ｂの外側Ｏに零れることを防止することが可能となった。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第３の考案を実施するための最良の形態
上記のお玉杓子１００において、球状碗部Ｓの片側の縁部底面Ｓ２ｅに設けた汁切り部Ｆが、中空部を有することを特徴とする第１の考案、第２の考案の何れかに記載されたお玉杓子１００が開示されている（図示されず。）。
○第３の考案の効果
●第３の考案によれば、球状碗部Ｓの片側の縁部底面Ｓ２ｅに設けた汁切り部Ｆが、中空部を有することという特徴的な構成要件により、軽量で安価なお玉杓子１００を提供することにより、本考案が解決しようとする第１課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【図面の簡単な説明】
【０００９】
【図１】図１は、本考案に係るお玉杓子の斜視図である。
【図２】図２（ａ）は、本考案に係るお玉杓子の側面図である。図２（ｂ）は、本考案に係るお玉杓子のＡ−Ａ断面視図である。図２（ｃ）は、図２（ｂ）の本考案に係るお玉杓子の汁切り部の拡大図（Ａ−Ａ断面視図）である。
【図３】図３は、従来のお玉杓子を用いた場合の問題点を説明する図である。図３（ａ）は、従来のお玉杓子に汁を入れた状態を示す図である。図３（ｂ）は、従来のお玉杓子から御椀に注ぐ際に汁滴Ｗｄが御椀の外側に零れる状態を示す図である。
【図４】図４は、本考案に係るお玉杓子を用いた場合の考案の効果を説明する図である。図４（ａ）は、本考案に係るお玉杓子に汁を入れた状態を示す図である。図４（ｂ）は、本考案に係るお玉杓子から御椀に注ぐ際に汁滴Ｗｄが御椀の外側に零れない状態を示す図である。
【図５】図５は、汁切り部のＡ面が曲面である場合の本考案に係るお玉杓子の図である。図５（ａ）は、汁切り部のＡ面が曲面である場合の本考案に係るお玉杓子の側面図である。図５（ｂ）は、汁切り部のＡ面が曲面である場合の本考案に係るお玉杓子の一部拡大図である。
【符号の説明】
【００１０】
１００……お玉杓子（おたまじゃくし）
Ｓ……球状碗部
Ｓ１……球状碗部の内面
Ｓ２……球状碗部の底面
Ｓ２ｅ……球状碗部の片側の縁部底面
Ｓ２ｃ……縁部底面の中央部
Ｈ……柄部
Ｎ……首部
Ｆ……汁切り部
Ｆａ……汁切り部のＡ面
Ｆｂ……汁切り部のＢ面
Ｌａｂ……汁切り部のＡ面と汁切り部のＢ面との交線
θａ……汁切り部のＡ面が球状碗部の底面となす角度（°）
θｂ……汁切り部のＢ面が球状碗部の底面となす角度（°）
θａｂ……汁切り部のＡ面が汁切り部のＢ面となす角度（°）
Ｗ……汁
Ｗｄ……汁滴
Ｂ……御椀等
Ｏ……御椀等の外側
【図１】
0003169170.tif 000003
【図２】
0003169170.tif 000004
【図３】
0003169170.tif 000005
【図４】
0003169170.tif 000006
【図５】
0003169170.tif 000007
【手続補正書】
【提出日】平成23年5月14日(2011.5.14)
【手続補正１】
【補正対象書類名】実用新案登録請求の範囲
【補正対象項目名】全文
【補正方法】変更
【補正の内容】
【実用新案登録請求の範囲】
【請求項１】
球状碗部と柄部と、球状碗部と柄部を一体的に取り付ける首部とから構成されるお玉杓子において、球状碗部の片側の縁部外側面に汁切り部を設け、汁切り部の面（Ｆａ）が、数式（１）の条件を具備することを特徴とするお玉杓子。
２０°≦θａ≦１６０°……（１）
ここに、θａ：汁切り部の面（Ｆａ）が球状碗部の外側面となす角度（°）
【請求項２】
球状碗部の片側の縁部外側面付近に汁切り部を設け、汁切り部の面（Ｆb）が、数式（２）の条件を具備することを特徴とする請求項１に記載されたお玉杓子。
２０°≦θｂ≦１６０°……（２）
ここに、θｂ：汁切り部の面（Ｆｂ）が球状碗部の外側面となす角度（°）
【請求項３】
縁部外側面付近に汁切り部を設けた汁切り部が、中空部を有することを特徴とする請求項１〜２の何れかに記載されたお玉杓子。
【手続補正２】
【補正対象書類名】明細書
【補正対象項目名】全文
【補正方法】変更
【補正の内容】
【考案の詳細な説明】
【技術分野】
【０００１】
本考案は、お玉杓子に関する。
【背景技術】
【０００２】
従来において、鍋等から掬って入れたお玉杓子内の汁を、御椀等に注ぎ入れる際に、汁滴がお玉杓子の球状底部を伝わって、球状底部の中央部から落下して、御椀等の外側に零れるという不都合がしばしば生じていた（図３（ａ）、図３（ｂ））。
しかし、汁滴がお玉杓子の球状底部を伝わって、球状底部の中央部から落下して、御椀等の外側に零れたしても、布巾等で拭き取れば何ら問題ないと認識するだけで、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供することによって、上記の不都合を解消しようとするアプローチが何らなされていなかった。
【０００３】
上記の不都合を解消しようとするアプローチがなされていなかったのであるから、当然のことながら、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子は存在しなかった。
以下、本考案との関係では直接は関係ないが関連する先行技術文献として、以下掲載しておく。
【先行技術文献】
【特許文献】
【０００４】
【特許文献１】特開２００８−３０２１８８号公報
【考案の概要】
【考案が解決しようとする課題】
【０００５】
○本考案が解決しようとする第１課題
本考案が解決しようとする第１課題は、鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○お玉杓子（おたまじゃくし）とは、食物を掬（すく）うことのできる調理器具の一種をいう。「御多賀杓子（おたがじゃくし）」に基づく語ともいう。
本考案に係るお玉杓子は、従来のお玉杓子（球状碗部と柄部と、球状碗部と柄部を一体的に取り付ける首部とから構成されるお玉杓子）に、特徴的構成要件である「汁切り部」を付加したものである。
○球状碗部とは、お玉杓子の球面形状をした部分をいう。球状碗部のうち、汁を中に入れる側の面を、球状碗部の内側面（単に、内側面ともいう。）といい、球状碗部のうち、汁を中に入れる反対側（外側）の面を、球状碗部の底部面（単に、底部面ともいう。）という。
○球状碗部縁部とは、球状碗部の縁部をいう。
○球状碗部の片側の縁部とは、球状碗部の縁部のうち、汁を注ぐ側の縁部をいう。
○球状碗部の片側の縁部底部面とは、球状碗部の縁部のうち、汁を注ぐ側の縁部近傍の底部面をいう。
○汁切り部とは、鍋等から掬って入れたお玉杓子内の汁を、御椀等に注ぎ入れる際に、汁滴がお玉杓子の球状底部を伝わって、球状底部の中央部から落下して、御椀等の底部に零れることを防止する、本願考案の最も特徴的構成部分である。
汁切り部は、汁切り部のＡ面（以下、汁切り部の面（Ｆａ）ともいう。）と汁切り部のＢ面（以下、汁切り部の面（Ｆｂ）ともいう。）から構成される。
○汁切り部のＡ面（汁切り部の面（Ｆａ））とは、汁切り部の二つの面のうち、球状碗部の縁部から近い側の面をいう。面は平面であっても曲面でもよい（図２、図５）。
○汁切り部のＢ面（汁切り部の面（Ｆｂ））とは、汁切り部の二つの面のうち、球状碗部の縁部に遠い側の面をいう。面は平面であっても曲面でもよい。（図２、図５、曲面の場合は図示せず。）
○汁切り部のＡ面が球状碗部の底部面となす角度（°）とは、が球状碗部の底部面と交わる角度（°）をいう。Ａ面が曲面の場合は、汁切り部の球状碗部の底部面の近傍のＡ面が球状碗部の底部面となす角度θａ（°）をいう。
○汁切り部のＢ面が球状碗部の底部面となす角度θｂ（°）とは、汁切り部のＢ面が球状碗部の底部面と交わる角度（°）をいう。Ｂ面が曲面の場合は、汁切り部の球状碗部の底部面の近傍のＢ面が球状碗部の底部面となす角度（°）をいう。
○汁切り部のＡ面が汁切り部のＢ面となす角θａｂ（°）とは、汁切り部のＡ面が汁切り部のＢ面となす角度（°）をいう。汁切り部のＡ面、汁切り部のＢ面、球状碗部の底部面とは、略三角形を形成するので（図２（ｃ）、図５（ｂ））、下式が成立する。
θａ＋θｂ＋θａｂ≒１８０°…（３）
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載された考案であり、その具体的な解決手段は、以下の通りである。
○第１の考案（請求項１に記載の考案）
●上記の課題を解決するための第１の考案（請求項１に記載の考案）は、
球状碗部と柄部と、球状碗部と柄部を一体的に取り付ける首部とから構成されるお玉杓子において、球状碗部の片側の縁部外側面に汁切り部を設け、汁切り部のＡ面が、数式（１）の条件を具備することを特徴とするお玉杓子を特徴とするお玉杓子である。
２０°≦θａ≦１６０°……（１）
ここに、θａ：汁切り部のＡ面が球状碗部の外側面となす角度（°）
○第２の考案（請求項２に記載の考案）
●上記の課題を解決するための第２の考案（請求項２に記載の考案）は、
球状碗部の片側の縁部外側面付近に汁切り部を設け、汁切り部のＢ面が、数式（２）の条件を具備することを特徴とする請求項１に記載されたお玉杓子を特徴とするお玉杓子である。
２０°≦θｂ≦１６０°……（２）
ここに、θｂ：汁切り部のＢ面が球状碗部の外側面となす角度（°）
○第３の考案（請求項３に記載の考案）
●上記の課題を解決するための第３の考案（請求項３に記載の考案）は、
球状碗部縁部に汁切り部を設けた汁切り部が、中空部を有することを特徴とする請求項１〜２の何れかに記載されたお玉杓子である。
【考案の効果】
【０００７】
本考案に係る、お玉杓子は、上記のような特徴的構成要件から構成され、特徴的構成要件に応じた、以下のような本願考案特有の効果を奏する。
また、上記の各考案に応じた、上記のような特徴的構成要件から構成されたお玉杓子によれば、本願考案の課題を十分解消することができた。
○第１の考案の効果  
●第１の考案によれば、第１の考案の特徴的な構成要件により、本考案が解決しようとする第１課題（鍋等から掬って入れたお玉杓子内の汁を、御椀等に注ぎ入れる際に、汁滴がお玉杓子の球状底部を伝わって、球状底部の中央部から落下して、御椀等の外側に零れることを防止したお玉杓子を提供すること）を達成することができ、当業者予測不可能な顕著な効果を奏することができた。
○第２の考案の効果
●第２の考案によれば、第２の考案の特徴的な構成要件により、本考案が解決しようとする第１課題を達成することができ、当業者予測不可能な顕著な効果を奏することができた。
○第３の考案の効果
●第３の考案によれば、第３の考案の特徴的な構成要件により、本考案が解決しようとする第１課題を達成することができ、当業者予測不可能な顕著な効果を奏することができた。
【考案を実施するための最良の形態】
【０００８】
以下、本考案に係る、お玉杓子に関する最良の実施形態について、図面を参照しながら説明する。
［図１］図１は、本考案に係るお玉杓子の斜視図である。
［図２］図２（ａ）は、本考案に係るお玉杓子の側面図である。図２（ｂ）は、本考案に係るお玉杓子のＡ−Ａ断面視図である。図２（ｃ）は、図２（ｂ）の本考案に係るお玉杓子の汁切り部の拡大図（Ａ−Ａ断面視図）である。
［図３］図３は、従来のお玉杓子を用いた場合の問題点を説明する図である。図３（ａ）は、従来のお玉杓子に汁を容れた状態を示す図である。図３（ｂ）は、従来のお玉杓子から御椀に注ぐ際に汁滴が御椀の外側に零れる状態を示す図である。
［図４］図４は、本考案に係るお玉杓子を用いた場合の考案の効果を説明する図である。図４（ａ）は、本考案に係るお玉杓子に汁を容れた状態を示す図である。図４（ｂ）は、本考案に係るお玉杓子から御椀に注ぐ際に汁滴が御椀の外側に零れない状態を示す図である。
［図５］図５は、汁切り部のＡ面が曲面である場合の本考案に係るお玉杓子の図である。図５（ａ）は、汁切り部のＡ面が曲面である場合の本考案に係るお玉杓子の側面図である。図５（ｂ）は、汁切り部のＡ面が曲面である場合の本考案に係るお玉杓子の一部拡大図である。
＊＊＊＊＊＊＊＊＊＊＊＊＊＊＊＊＊＊＊＊＊＊＊＊＊＊＊＊＊＊＊＊＊＊＊
以下、本考案に係るお玉杓子について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案を実施するための最良の形態
本考案に係るお玉杓子１００において、球状碗部Ｓと柄部Ｈと、球状碗部Ｓと柄部Ｈを一体的に取り付ける首部Ｎとから構成されるお玉杓子１００において、球状碗部Ｓの片側の縁部底面Ｓ２ｅに汁切り部Ｆを設け、汁切り部ＦのＡ面が、数式（１）の条件を具備することを特徴とするお玉杓子１００が開示されている（図１、図２、（図５）。
２０°≦θａ≦１６０°……（１）
ここに、θａ：汁切り部ＦのＡ面が球状碗部Ｓの底面Ｓ２となす角度（°）
本考案に係るお玉杓子１００は、球状碗部Ｓ、柄部Ｈ、首部Ｎ、汁切り部Ｆとから構成される。首部Ｎは、球状碗部Ｓと柄部Ｈを一体的に取り付ける構成となっている。汁切り部Ｆは、球状碗部Ｓの片側の縁部底面Ｓ２ｅに設置される。汁切り部ＦのＡ面が、数式（１）の条件を具備することを特徴としている。
汁切り部のＡ面の面は平面であっても曲面でもよい（図２、図５）。
○第１の考案の効果
●第１の考案によれば球状碗部Ｓと柄部Ｈと、球状碗部Ｓと柄部Ｈを一体的に取り付ける首部Ｎとから構成されるお玉杓子１００において、球状碗部Ｓの片側の縁部底面Ｓ２ｅに汁切り部Ｆを設け、汁切り部ＦのＡ面が、数式（１）の条件を具備すること
（２０°≦θａ≦１６０°……（１）
ここに、θａ：汁切り部ＦのＡ面が球状碗部Ｓの底面Ｓ２となす角度（°））
という特徴的な構成要件により、本考案が解決しようとする第１課題を達成することができ、当業者予測不可能な顕著な効果を奏することができた。
すなわち、本考案に係るお玉杓子１００から御椀等Ｂに注ぐ際に、球状碗部Ｓの底面Ｓ２が水平面との傾斜が緩やかになる一方、汁切り部ＦのＡ面は水平面に対して傾斜が急になる。
球状碗部Ｓに入れていた汁Ｗは、汁切り部ＦのＡ面を伝わって落下する。汁切り部ＦのＡ面は水平面に対して傾斜を有しているため、汁滴Ｗｄは、重力の作用により付着力に打ち勝って、下端（汁切り部のＡ面と汁切り部のＢ面との交線Ｌａｂ）から容易に落下する。
さらに、汁滴Ｗｄは、汁切り部ＦのＢ面が昇り勾配となっていて重力が障害となって、球状碗部Ｓの底面Ｓ２を伝わって、底面Ｓ２の中央部Ｓ２ｃまで接近することができない。
汁滴Ｗｄは汁切り部のＡ面と汁切り部のＢ面との交線Ｌａｂより上方に位置する底面Ｓ２の中央部Ｓ２ｃに近づくことができず、
鍋等から掬って入れたお玉杓子１００内の汁Ｗを、御椀等Ｂに注ぎ入れる際に、汁滴Ｗｄがお玉杓子１００の球状碗部Ｓの底面Ｓ２を伝わることはないので、球状碗部Ｓの底面Ｓ２の中央部Ｓ２ｃから落下して、御椀等Ｂの外側Ｏに零れることを防止することが可能となった（図４）。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第２の考案を実施するための最良の形態
上記のお玉杓子１００において、球状碗部Ｓの片側の縁部底面Ｓ２ｅに汁切り部Ｆを設け、汁切り部ＦのＢ面が、数式（２）の条件を具備することを特徴とする第１の考案に記載されたお玉杓子１００が開示されている（図１、図２、（図５）。
２０°≦θｂ≦１６０°……（２）
ここに、θｂ：汁切り部ＦのＢ面が球状碗部Ｓの底面Ｓ２となす角度（°）
本考案に係るお玉杓子１００は、球状碗部Ｓ、柄部Ｈ、首部Ｎ、汁切り部Ｆとから構成される。首部Ｎは、球状碗部Ｓと柄部Ｈを一体的に取り付ける構成となっている。汁切り部Ｆは、球状碗部Ｓの片側の縁部底面Ｓ２ｅに設置される。汁切り部ＦのＢ面が、数式（２）の条件を具備することを特徴としている。
汁切り部のＢ面の面は平面であっても曲面でもよい（図２、図５、曲面の場合は図示せず。）。
○第２の考案の効果
●第２の考案によれば、球状碗部Ｓの片側の縁部底面Ｓ２ｅに汁切り部Ｆを設け、汁切り部ＦのＢ面が、数式（２）の条件を具備すること
（２０°≦θａ≦１６０°……（２）
ここに、θｂ：汁切り部ＦのＢ面が球状碗部Ｓの底面Ｓ２となす角度（°））
という特徴的な構成要件により、本考案が解決しようとする第１課題を達成することができ、当業者予測不可能な顕著な効果を奏することができた。
すなわち、本考案に係るお玉杓子１００から御椀に注ぐ際に、球状碗部Ｓの底面Ｓ２が水平面との傾斜が緩やかになると供に、汁切り部ＦのＡ面は水平面に対して傾斜が急になる。この場合、球状碗部Ｓに入れていた汁Ｗは汁切り部ＦのＡ面を伝わって落下する。
そしてさらに、汁Ｗは汁切り部のＡ面と汁切り部のＢ面との交線Ｌａｂに接触しながら落下することがあっても、汁切り部ＦのＢ面が平面に対して傾斜が昇り勾配になるため、底面の中央部Ｓ２ｃは汁切り部のＡ面と汁切り部のＢ面との交線Ｌａｂに比較して上方に位置するため、汁滴Ｗｄは重力が作用するため、付着力が作用したとしても、汁切り部ＦのＡ面を伝わって底面の中央部Ｓ２ｃまで上昇することができない。
汁滴Ｗｄは汁切り部のＡ面と汁切り部のＢ面との交線Ｌａｂより底面の中央部Ｓ２ｃに近づくことができず、
鍋等から掬って入れたお玉杓子１００内の汁Ｗを、御椀等Ｂに注ぎ入れる際に、汁滴Ｗｄがお玉杓子１００の球状碗部Ｓの底面Ｓ２を伝わることはないので、球状碗部Ｓの底面Ｓ２の中央部Ｓ２ｃから落下して、御椀等Ｂの外側Ｏに零れることを防止することが可能となった。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第３の考案を実施するための最良の形態
上記のお玉杓子１００において、球状碗部Ｓの片側の縁部底面Ｓ２ｅに設けた汁切り部Ｆが、中空部を有することを特徴とする第１の考案、第２の考案の何れかに記載されたお玉杓子１００が開示されている（図示されず。）。
○第３の考案の効果
●第３の考案によれば、球状碗部Ｓの片側の縁部底面Ｓ２ｅに設けた汁切り部Ｆが、中空部を有することという特徴的な構成要件により、軽量で安価なお玉杓子１００を提供することにより、本考案が解決しようとする第１課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【図面の簡単な説明】
【０００９】
【図１】図１は、本考案に係るお玉杓子の斜視図である。
【図２】図２（ａ）は、本考案に係るお玉杓子の側面図である。図２（ｂ）は、本考案に係るお玉杓子のＡ−Ａ断面視図である。図２（ｃ）は、図２（ｂ）の本考案に係るお玉杓子の汁切り部の拡大図（Ａ−Ａ断面視図）である。
【図３】図３は、従来のお玉杓子を用いた場合の問題点を説明する図である。図３（ａ）は、従来のお玉杓子に汁を入れた状態を示す図である。図３（ｂ）は、従来のお玉杓子から御椀に注ぐ際に汁滴Ｗｄが御椀の外側に零れる状態を示す図である。
【図４】図４は、本考案に係るお玉杓子を用いた場合の考案の効果を説明する図である。図４（ａ）は、本考案に係るお玉杓子に汁を入れた状態を示す図である。図４（ｂ）は、本考案に係るお玉杓子から御椀に注ぐ際に汁滴Ｗｄが御椀の外側に零れない状態を示す図である。
【図５】図５は、汁切り部のＡ面が曲面である場合の本考案に係るお玉杓子の図である。図５（ａ）は、汁切り部のＡ面が曲面である場合の本考案に係るお玉杓子の側面図である。図５（ｂ）は、汁切り部のＡ面が曲面である場合の本考案に係るお玉杓子の一部拡大図である。
【符号の説明】
【００１０】
１００……お玉杓子（おたまじゃくし）
Ｓ……球状碗部
Ｓ１……球状碗部の内面
Ｓ２……球状碗部の底面
Ｓ２ｅ……球状碗部の片側の縁部底面
Ｓ２ｃ……縁部底面の中央部
Ｈ……柄部
Ｎ……首部
Ｆ……汁切り部
Ｆａ……汁切り部のＡ面
Ｆｂ……汁切り部のＢ面
Ｌａｂ……汁切り部のＡ面と汁切り部のＢ面との交線
θａ……汁切り部のＡ面が球状碗部の底面となす角度（°）
θｂ……汁切り部のＢ面が球状碗部の底面となす角度（°）
θａｂ……汁切り部のＡ面が汁切り部のＢ面となす角度（°）
Ｗ……汁
Ｗｄ……汁滴
Ｂ……御椀等
Ｏ……御椀等の外側